(57)【要約】【課題】床面積が小さく、操作が容易で、かつカード両面印刷に要する時間を短縮したカード両面印刷装置を提供すること。【解決手段】カードの表て面（おもてめん）に印刷を行う表て面印刷部とカードの裏面に印刷を行う裏面印刷部を、一方を他方の上に縦に並べてカード両面印刷装置を構成した。更に両印刷部の側方に縦方向に延びる縦搬送路を設け、双方の印刷部を、縦搬送路で接続させた。縦搬送路に、転回機構を介して各印刷部に至る横搬送路を設け、縦搬送路から横搬送路に、また横搬送路から縦搬送路にカードを送り出せるようにした。カードから磁気的な情報や電子的な情報を読み取り、またカードに書き込む読書き部、あるいはカードの印刷内容を読み取る画像読取部を縦搬送路に沿って設け、カードを縦搬送路で搬送している間にこれら処理を行うこととした。【選択図】    図１
2008123302.tif 000002
【特許請求の範囲】
【請求項１】
カードに印刷を行うカード印刷装置であり、
前記カードの表て面を印刷する表て面印刷部と該カードの裏面を印刷する裏面印刷部を、いずれか一方の印刷部の上部に他方の印刷部を配置し、
前記表て面印刷部と裏面印刷部の側方に前記カードを搬送する縦搬送手段を設け、かつ該縦搬送手段に沿って、前記カードに磁気的な情報を読み書きさせる磁気的読書き手段と電子的な情報を読み書きさせる電子的読書き手段のいずれか、あるいは双方を設けたことを特徴とするカード両面印刷装置。
【請求項２】
前記表て面印刷部と前記裏面印刷部の印刷動作が同期し、該表て面印刷部と該裏面印刷部においてカードがほぼ同時に印刷され、かつ前記表て面印刷部と前記裏面印刷部のいずれか一方の先工程から他方の後工程に該カードが順次連続して搬送されることとした請求項１に記載のカード両面印刷装置。
【請求項３】
定常の印刷状況において、前記表て面印刷部と、前記裏面印刷部と、前記磁気的読書き手段と、前記電子的読書き手段の各処理工程に、カードが各１枚ずつ配置され、前記各工程で最も処理時間のかかる工程での処理が終了するまで、他の工程においてカードが待機し、該最も処理時間のかかる工程での処理が終了した時点で各カードが、それぞれのカードの次工程に同時に送られることとした請求項１または２に記載のカード両面印刷装置。
【請求項４】
画像読取手段を前記縦搬送手段に沿って設け、表て面印刷部と裏面印刷部において印刷された画像を前記画像読取手段で読み取り、印刷不良を検出することとした請求項１〜３のいずれか１項に記載のカード両面印刷装置。
【請求項５】
表て面印刷部と裏面印刷部のうちの下方に配置された印刷部の近傍に、未記入のカードを保管するカード保管箱を配置し、該カード保管箱から前記下方の印刷部にカードを供給し、上部に配置された印刷部の近傍に、印刷が完了したカードを収納するカード収納箱を配置させたことを特徴とする請求項１〜４のいずれか１項に記載のカード両面印刷装置。
【発明の詳細な説明】
【技術分野】
【０００１】
この発明は、ＩＤカードやクレジットカードなどカード類の表裏両面に印刷を施すカード両面印刷装置に関する。
【背景技術】
【０００２】
カードに印刷を施す場合において、カード表面に印刷を行う他、磁気的な情報や電子的な情報をカードに格納させる場合がある。このような印刷装置において、印刷機構とそれ以外の磁気的読書き手段などを上下に配置し、装置の床面積を小さくしたり、カードの実質的な印刷時間を短縮させることを目的とした印刷装置の例が知られている。
【０００３】
またカード印刷には、印字ヘッドからカード表面に直接インキを塗布する直接印刷方式と、印字ヘッドとカードの間に転写フィルムを設け、まず転写フィルムに印字ヘッドから画像を印刷し、その画像を転写フィルムからカード上に転写して印刷を行う間接印刷方式が知られている。間接印刷方式は、直接印刷方式に比較して機構が複雑となり、また印刷時間が長くなるという点を有するが、インキがきれいに付着されることから上質な印刷物を印刷する場合などに多く用いられている。また、カード反転機構でカードを表裏反転させ、１つの印刷手段でカードの表裏両面に印刷を施すことも行われている。
【特許文献１】特開平９−１３１９３０号公報
【発明の開示】
【発明が解決しようとする課題】
【０００４】
しかしながら従来、カード印刷装置には次のような問題点があった。  
印刷機構と印刷機構以外の電子的な情報などを読み書きする機構とを、それぞれ装置の上下に配置し、同時に処理した場合でも、カード印刷に費やされる時間の方が、その他の処理にかかる時間よりはるかに大きく、カード印刷（作成）にかかる時間を大幅に短縮させることはできなかった。
【０００５】
また反転機構を用いたカード両面印刷では、前のカードの印刷が終了するまで次のカードは印刷を待機していなければならず、カード印刷に要する時間が長くなっていた。またカードの表裏両面を印刷した後印刷の検査を行った場合、例えば最初に印刷した面に印刷ミスが生じた場合でも、表裏両面を印刷しなければ印刷ミスが検出されないので、時間とインキが無駄となっていた。
【０００６】
一方、例えば表て面の印刷が終了した時点で印刷内容を検査し、印刷ミスのあるカードを廃棄した場合、裏面の印刷を解除して新たなカードの表て面を印刷することとなり、表て面の印刷が連続する。間接印刷方式の場合には、表て面の印刷が終了する前に次の裏面を印刷する準備に入ることから、印刷順が変更することは、転写フィルムへの裏面印刷が無駄になるか、あるいは表面の検査が終了するまで、裏面印刷の準備を待機させる必要があり、印刷時間が長くなるという恐れがあった。
【０００７】
更に、カードの表て面（おもてめん）を印刷する表て面印刷手段と裏面を印刷する裏面印刷手段を個別にして横方向に並べると、床面積が広くなり、設置に広い場所を必要とするという問題があった。
【０００８】
本発明は、上記課題を解決し、設置占有面積を小さくでき、かつカード両面を短時間で印刷できるカード両面印刷装置を提供することを目的とする。
【課題を解決するための手段】
【０００９】
本発明は、上記課題を解決するためカード両面印刷装置を、次のように構成した。すなわち、カードの表て面（おもてめん）に印刷を行う表て面印刷部とカードの裏面に印刷を行う裏面印刷部を、装置筐体内に、一方を他方の上に配置させた。例えば表て面印刷部を下にし、その上方に裏面印刷部を配置し、それぞれを縦に並べることとした。
【００１０】
更に両印刷部の側方に縦方向に延びる縦搬送路を設け、双方の印刷部を、縦搬送路で接続させた。縦搬送路に、転回機構を介して各印刷部に至る横搬送路を設け、縦搬送路から横搬送路、また横搬送路から縦搬送路にカードを送り出せるようにした。
【００１１】
磁気的な情報や電子的な情報をカードから読み取り、またカードに書き込む情報読書き部（リーダーライター）や、画像情報を読み取る画像読取部を縦搬送路に沿って設け、カードが縦搬送路で搬送されている間にこれらの処理をカードに行うこととした。
【００１２】
更に筐体下部に設けられた印刷部の近傍に、未記入のカードを保管するカード保管箱を配置し、筐体上部に設けられた印刷部の近傍に、完成されたカードを収納するカード収納箱を配置し、装置下部から上部に印刷工程が進行することとした。また、各転回機構の近傍に不良カードを廃棄する廃棄箱を配置した。
【００１３】
表て面印刷部と裏面印刷部の印刷方式は、印刷ヘッドから転写フィルムに印刷を行い、転写フィルムからカード上にインキを転写する間接印刷方式とした。また各印刷部では、水平に配置したカードの上方から転写フィルムを重ね、画像をカードに転写する構成とした。尚、本発明のカード両面印刷装置は、かかる印刷方式でなく、他の印刷方式を用いてもよい。
【００１４】
次に、上記カード両面印刷装置の作動について説明する。  
まず、カードを作成する旨の指示と印刷内容を示す情報を外部入力装置からカード両面印刷装置に送る。すると保管箱から未記入のカードが取り出され、下部の転回機構から横搬送路を通って例えば表て面印刷部に送り出される。表て面印刷部において、カードの表て面に印刷が施されたら、印刷されたカードは横搬送路により下部の転回機構に戻る。転回機構は、カードを保持したら保持部を転回させ、縦搬送路に沿った向きにカードを設定する。
【００１５】
カードが縦方向に設定されたら転回機構は、縦搬送路にカードを送り出す。カードは、縦搬送路によって上方に搬送され、その間磁気的読書き部を通過して磁気的情報が入出力され、また、画像読取部を通過して、表て面に印刷された印刷内容が読み取られる。画像読取部で読み取られた画像情報は制御部に送られ、画像情報に基いて印刷が正常に行われたか否か制御部が判断する。
【００１６】
印刷が正常に行われていないと判断されたら、カードは下部の転回機構に戻され、転回機構から下部の廃棄箱に廃棄される。一方印刷が正常になされたと判断されたら、カードは上部の転回機構に送られる。上部の転回機構に保持されたカードは、保持部が転回して裏面を上面に向けて横搬送路に沿った水平方向に向きが変えられる。この動作と同時に下部の転回機構に保管箱からカードが送り出される。そして、下部と上部の転回機構でそれぞれカードが横搬送路に送り出され、表て面印刷部と、裏面印刷部で、カードの印刷が行なわれる。
【００１７】
表て面印刷部では未記入のカードの表て面に印刷を行い、裏面印刷部では、既に表て面に印刷がなされたカードの裏面に印刷を行う。それぞれの印刷部で印刷が施されたら、カードはそれぞれ転回機構に戻り、保持部に保持される。下部のカードは上述したと同様にして上部の転回機構に向けて搬送される。
【００１８】
一方上部の転回機構のカードは、更に上方の縦搬送路に送り出される。カードが縦搬送路を搬送されている途中で、裏面に印刷された画像が画像読取部で読み取られ、制御手段で印刷が正常に行われたか否か判断される。印刷が正常であると判断されたら、カードは最上部の転回機構から収納箱に送られ、収納される。一方印刷が正常ではないと判断されたら、カードは上部の転回機構に戻され、転回機構から上部の廃棄箱に廃棄される。
【００１９】
下部のカードは、上部のカードが正常で収納箱に収納されたら、縦搬送路を上昇して上部の転回機構に保持される。一方、上部のカードが正常に印刷されていないと判断されたら、上部の転回機構からカードが廃棄箱に廃棄されるまで、下部のカードは縦搬送路などで待機する。
【発明の効果】
【００２０】
本発明のカード両面印刷装置は、次の効果を有している。  
表て面と裏面の２つの印刷部を上下に配置したので印刷装置の床面積を小さくし、カード両面印刷装置を狭い場所に設置できる。完成したカードを装置上部から取り出すことができ、操作が容易となる。１のカードを印刷しているとき、他の印刷部で他のカードの印刷処理ができるので、カード両面印刷に要する時間を実質的に短縮できる。
【００２１】
１の印刷部から他の印刷部にカードが移動している間に磁気的、あるいは電子的な情報の読書きや印刷画像の検査が行われるので、印刷時間を短縮できる。更に、印刷部と、これら処理部の各々において常にカードが処理されているように、カードを連続して配置させたので、完成されたカードが取り出されてくる時間間隔を短くできる。
【００２２】
表裏いずれかの印刷が不良になった段階でそのカードを直ちに廃棄できるので、カードへの無駄な印刷を防ぎ、印刷時間とインキの無駄を防止できる。カードの上方から転写フィルムを載せ、画像を転写するので、転写フィルムをカード上に正確に位置合わせすることができ、印刷不良の発生を低減できる。
【発明を実施するための最良の形態】
【００２３】
本発明にかかるカード両面印刷装置の一実施形態について、図面を用いて説明する。  
図１に、カード両面印刷装置２を示す。カード両面印刷装置２は、全体を覆う筐体４と、表て面印刷部６と、裏面印刷部８と、搬送機構１０と、制御部１００などから構成されている。
【００２４】
筐体４は、縦長で、内部に表て面印刷部６と裏面印刷部８が設けられている。表て面印刷部６と裏面印刷部８はほぼ同じ構成であり、表て面印刷部６が下側で、その上側に裏面印刷部８が表て面印刷部６に重ねるように配置してある。
【００２５】
筐体４の前面には、表て面印刷部６と裏面印刷部８に対応した開閉蓋５６、５８が図７に示すように設けてある。開閉蓋５６や５８は、表て面印刷部６や裏面印刷部８の保守点検などに際して適宜開閉される。
【００２６】
筐体４の側方には、未記入のカード３を保管する保管箱２２と、印刷されたカード３を収納する収納箱２４と、印刷不良と判断されたカードが収納される第一廃棄箱２６、および第二廃棄箱２８が設けられている。
【００２７】
図２に、表て面印刷部６を示す。図２に示すように表て面印刷部６は、印字機構３２と、転写フィルム機構３４と、圧着ローラ３６等から構成してある。印字機構３２は、インクリボン３８と印字ヘッド４０を具え、転写フィルム機構３４に画像を印刷する。表て面印刷部６の印刷方式は、溶融熱転写顔料印刷である。
【００２８】
転写フィルム機構３４は、転写フィルム４２を走行可能に具えており、転写フィルム４２に印字機構３２から印刷すべき内容が反転画像で印刷される。印刷された反転画像は、圧着ローラ３６によりカード３の上面に加熱、圧着され、カード３の表面に転写される。
【００２９】
裏面印刷部８は、印字機構３２と、転写フィルム機構３４と、圧着ローラ３６等を具え、表て面印刷部６と同様に構成されている。同一の部材は、同一の符号を付して説明の重複を避ける。裏面印刷部８は、表て面印刷部６における印刷と同様にして、カード３の裏面に所定の印刷を施す。
【００３０】
搬送機構１０は、縦搬送手段としての縦搬送路１２と、下側横搬送路１４と、上側横搬送路１６と、第一転回機構１８、第二転回機構１９、第三転回機構２０等から構成されている。縦搬送路１２は、表て面印刷部６と裏面印刷部８の側方に沿って縦方向に配置してあり、カード３を上下方向に搬送する。
【００３１】
下側横搬送路１４は、表て面印刷部６の下面を通る位置にほぼ水平に配置してあり、第一転回機構１８を介して縦搬送路１２と交差している。上側横搬送路１６は、裏面印刷部８の下面を通る位置にほぼ水平に配置してあり、第二転回機構１９を介して縦搬送路１２と交差している。
【００３２】
第一転回機構１８は、保持具２１を回動自在に具え、カード３を保持した状態で保持具２１が回動して、カード３の向きを任意に変更させる。これにより、縦搬送路１２に沿った向きから下側横搬送路１４に沿った向きに、また下側横搬送路１４に沿った向きから縦搬送路１２に沿った向きにカードの向きを変更させる。また第一転回機構１８は、制御部１００で印刷不良と判断されたカード３を、第一廃棄箱２６に廃棄する。
【００３３】
第一転回機構１８の下部には、ＩＣチップに直接接触してＩＣチップと通信を行う接触式電子的読書き部４４が設けてあり、カード３に組み込まれている接触式ＩＣチップ（図示せず。）から電子的情報を読み取ったり、あるいはＩＣチップに電子的情報を記憶させる。
【００３４】
第二転回機構１９は、上記第一転回機構１８と同様の構成であり、縦搬送路１２と上側横搬送路１６との間でカードの受け渡しを行う。また第二転回機構１９は、印刷不良と判断されたカードを第二廃棄箱２８に廃棄する。
【００３５】
第一転回機構１８と第二転回機構１９の間には、縦搬送路１２に沿って、磁気的読書き部４６と第一画像読取部４８が設けられている。磁気的読書き部４６は、、カード３に形成された磁気帯から磁気情報を読み取り、また磁気帯に磁気情報を記入する。第一画像読取部４８は、カード３の表て面の画像を読み取り、読み取った画像情報を制御部１００に送る。
【００３６】
制御部１００は、第一画像読取部４８から送られてきた画像内容から、カードに印刷が正しく行われていないと判断したなら、カード３を第一転回機構１８に戻し、第一転回機構１８からカード３を第一廃棄箱２６に廃棄させる。
【００３７】
縦搬送路１２の上端には、第三転回機構２０が設けてある。第二転回機構１９と第三転回機構２０の間には、非接触式電子的読書き部５０と第二画像読取部５２が設けられている。
【００３８】
非接触式電子的読書き部５０は、カード３に組み込まれている非接触式ＩＣチップ（図示せず。）から非接触で電子的情報を読み取ったり、ＩＣチップに電子的情報を記憶させる。第二画像読取部５２は、カード３の裏面の画像を読み取り、読み取った画像情報を制御部１００に送る。
【００３９】
制御部１００は、第二画像読取部５２から送られてきた画像内容から、カードに印刷が正常に行われていないと判断したならカード３を第二転回機構１９に戻し、第二転回機構１９からカード３を第二廃棄箱２８に廃棄させる。一方制御部１００は、第二画像読取部５２から送られてきた画像内容から印刷が正常に行われたと判断したら、カード３が完成されたとして第三転回機構２０から、カード３を収納箱２４に収納させる。
【００４０】
次に、カード両面印刷装置２を用いた印刷、および情報の格納等を含むカード３の作成例について説明する。作成するカードは、ＩＤカードとする。
【００４１】
まず外部入力装置としてのパソコン（図示せず）に、カードを作成する旨の指示と、必要とされる印刷情報を入力する。必要とされる印刷情報としては、例えば、個人の国籍、現住所、氏名、生年月日、顔写真、その他である。これら各印刷情報は、パソコンでカード３の形式に適合するように変換して入力する。尚、各情報が何を示す情報であるか識別できるように入力し、カード両面印刷装置２の制御部１００で所定の印刷形式に情報を変換してもよい。
【００４２】
パソコンから送出された情報は、カード両面印刷装置２の制御部１００に入力される。制御部１００は、入力された情報に従い各部に指示を出す。
【００４３】
まず未記入のカード３が保管箱２２から引き出され（図３参照。）、第一転回機構１８から下側横搬送路１４に送られる。カードは、表て面を上にして表て面印刷部６の下側に搬送される（図２参照。）。尚、図２には、上側横搬送路１６にカード３が図示されているが、これは、今説明しているカード３の前に処理さたカードであり、説明の都合上説明を省き、これについては後に説明する。（以下、図３、図４、図５についても同じ。）
表て面印刷部６では、印字ヘッド４０が制御部１００からの指示に従い所定の画像（文字、その他を含む。以下同じ。）を転写フィルム４２上に形成する。形成された画像は、転写フィルム４２と共に移動し、表て面印刷部６の下側に搬送されてきたカード３と同期して、圧着ローラ３６で加熱されるとともにカード３に圧着され転写される。こうしてカード３の表て面に画像が印刷される。
【００４４】
表て面に印刷が施されたカード３は、下側横搬送路１４により第一転回機構１８に戻り、図３に示すように保持具２１に保持される。第一転回機構１８は、図における時計回りに９０度保持具２１を回転させ、カード３を縦方向に向け、接触式電子的読書き部４４に送り出す。接触式電子的読書き部４４は、カード３に組み込まれた接触式ＩＣチップ（図示せず。）の端子に直接接触して、接触式ＩＣチップとの間で電子情報を読み書きする。かかる通信は直接接触で行われるため、内容が傍受される恐れの少ない通信である。
【００４５】
電子情報の読み書きが終了したカード３は、図４に示すように再び第一転回機構１８に戻り、第一転回機構１８から縦搬送路１２に送り出される。縦搬送路１２は、印刷面、すなわち表て面を図の右に向けた状態でカード３を上方に搬送する。
【００４６】
縦搬送路１２によりカード３が上方に移動している状態を図５に示す。カード３は、縦搬送路１２で搬送されている間に磁気的読書き部４６を通過し、カード３に形成された磁気帯（図示せず。）に磁気情報が読み書きされ、かつ第一画像読取部４８により、表て面に印刷された画像内容が読み取られる。第一画像読取部４８で読み取られた画像は、制御部１００に送られ、画像内容から印刷が正常に行われたかどうか判断される。仮に印刷不良があると判断されると、カード３は第一転回機構１８に戻り、図６に示すように第一転回機構１８から第一廃棄箱２６に廃棄される。一方印刷が正常に行われたと判断されると、カード３は図４に示すように第一転回機構１８から第二転回機構１９に送られる。
【００４７】
第二転回機構１９では、カード３を保持した保持具２１が、時計回りに９０度回転し、裏面が上方を向くようにカード３を水平に向ける（図３参照。）。カード３はそのまま図２に示すように上側横搬送路１６を移動し、裏面印刷部８に送られる。
【００４８】
裏面印刷部８では、表て面印刷部６と同様にして、カード３の裏面に所定の画像を印刷する。裏面の印刷が終了したならカード３は図２に示すように上側横搬送路１６を戻り、第二転回機構１９に保持される。第二転回機構１９は、保持具２１が再度時計回りに９０度回転し、カード３を、印刷した裏面が図の右側に向くように縦に保持し（図４参照。）、縦搬送路１２に送り出す。
【００４９】
縦搬送路１２は、カード３を第二転回機構１９から上方に移動させる。カード３は，縦搬送路１２で搬送されている間に非接触式電子的読書き部５０で電子情報の読み書きがなされる。また第二画像読取部５２で、裏面に印刷された画像が読み取られ、制御部１００に画像内容が送られる。制御部１００で、裏面の印刷が不良と判断されたら、カード３は第二転回機構１９に戻され、第二廃棄箱２８に廃棄される。一方制御部１００で印刷が正常に行われたと判断されたら、カード３は第三転回機構２０に送られ（図６参照。）、第三転回機構２０から収納箱２４に、完成したカード３として収納される。
【００５０】
更に、上述したように第一転回機構１８から第二転回機構１９にカード３が送り出されると、それに同期させて、未記入のカード３が保管箱２２から第一転回機構１８に引き込まれる。そして、前述したように表て面印刷部６において、裏面印刷部８の印刷と同期して印刷が行なわれる。これにより、カード３の一面への印刷所要時間の間隔で、両面に印刷を施したカード３を順次完成させることができる。
【００５１】
また裏面印刷されているカードと表て面印刷されているカードの間に更にカード３を配置させ、接触式電子的読書き部４４や磁気的読書き部４６での処理が終了したカード３を、裏面印刷部８の手前で待機させる。このようにすれば、裏面印刷部８での印刷が終了次第直ちにカード３を裏面印刷工程に送り込むことができ、磁気的、あるいは電子的な読書き作業に費やされる時間が、完成されたカード３が取り出される時間間隔に加えられず、カード３の印刷時間を実質的に短縮できる。
【００５２】
以上説明したように、カード両面印刷装置２によれば、表て面印刷部６と裏面印刷部８を上下に並べて配置したので、床面積を小さくし、狭い場所に設置できる。完成したカード３をカード両面印刷装置２の上部から取り出すことができ、操作が容易となる。
【００５３】
裏面印刷部８でカード３の裏面を印刷しているときに、表て面印刷部６でカード３の表て面に印刷ができるので、２枚のカードを同時に処理でき、カード３の実質的な印刷時間を短縮できる。カード３の表裏を印刷している途中で磁気的、あるいは電子的な情報が読み書きできるので、カード３の完成間隔を短縮できる。
【００５４】
更に、磁気的、あるいは電子的な読み書き作業が終了したカード３を、裏面印刷が終了するまで待機させることにより、カード３の実質的な印刷時間をより短縮できる。表て面印刷部６と裏面印刷部８のいずれも、カード３の上面より間接印刷処理するので、カード３への印刷ミスを低減できる。
【００５５】
いずれかの画像読取部でカード３に印刷不良があると確認されると、直ちにカード３が廃棄されるので、印刷不良のカードに印刷を行うことがなく、印刷時間とインキの無駄を防止できる。
【００５６】
尚上記例では、表て面印刷部６の上方に裏面印刷部８を配置したが、本発明はこの構成に限定されるものではない。また、印刷方式は、間接印刷方式に限定されず、他の印刷方式を用いてもよい。また、カード３は、クレジットカード大の樹脂製カードに限らず、他のカードでもよい。
【図面の簡単な説明】
【００５７】
【図１】本発明にかかるカード両面印刷装置の一実施形態に示す正面図。
【図２】図１のカード両面印刷装置の構成を示す図。
【図３】図１のカード両面印刷装置の構成を示す図。
【図４】図１のカード両面印刷装置の構成を示す図。
【図５】図１のカード両面印刷装置の構成を示す図。
【図６】図１のカード両面印刷装置の構成を示す図。
【図７】図１のカード両面印刷装置を示す斜視図。
【符号の説明】
【００５８】
２…  カード両面印刷装置
３…  カード
４…  筐体
６…  表て面印刷部
８…  裏面印刷部
１０…搬送機構
１２…縦搬送路
１４…下側横搬送路
１６…上側横搬送路
１８…第一転回機構
１９…第二転回機構
２０…第三転回機構
２１…保持具
２２…保管箱
２４…収納箱
２６…第一廃棄箱
２８…第二廃棄箱
３２…印字機構
３４…転写フィルム機構
３６…圧着ローラ
３８…インクリボン
４０…印字ヘッド
４２…転写フィルム
４４…接触式電子的読書き部
４６…磁気読書き部
４８…第一画像読取部
５０…非接触式電子的読み書き部
５２…第二画像読取部
５６、５８…開閉蓋
１００…制御部
【図１】
2008123302.tif 000003
【図２】
2008123302.tif 000004
【図３】
2008123302.tif 000005
【図４】
2008123302.tif 000006
【図５】
2008123302.tif 000007
【図６】
2008123302.tif 000008
【図７】
2008123302.tif 000009